(57)【要約】【課題】構成を簡素化すると共に、組立作業性を向上させることができる換気扇を提供することを課題とする。【解決手段】本体ケース２の下方に形成された吸気口４と、本体ケース２の一側面に形成された排気口５と、本体ケース２内に配設され、羽根車２０及びファンケーシング６を備えた送風手段３と、排気口５に連通するように、排気口５が形成された本体ケース２の一側面に固定されたダクト接手７とを備え、前記本体ケース２とダクト接手７とを凹部１１と凸部１５との嵌合による係合手段により固定すると共に、ファンケーシング６を前記係合手段により位置決めする。【選択図】        図２
2004340556.tif 000002
【特許請求の範囲】
【請求項１】
本体ケースの下方に形成された吸気口と、本体ケースの一側面に形成された排気口と、本体ケース内に配設され、羽根車及びファンケーシングを備えた送風手段と、排気口に連通するように、本体ケースの前記一側面に固定されたダクト接手とを備え、前記本体ケースとダクト接手とを凹部と凸部との嵌合による係合手段により固定すると共に、ファンケーシングを前記係合手段により位置決めしたことを特徴とする換気扇。
【請求項２】
前記排気口を挟むように隣接する本体ケースの両側面の外壁に、内側に向かって窪む凹部を形成すると共に、凹部に嵌合する凸部をダクト接手に形成し、さらに、前記凹部を形成したことにより、凹部裏面の本体ケース内壁に形成される突出部を、ファンケーシングの位置決めとしたことを特徴とする請求項１記載の換気扇。
【請求項３】
前記凹部を垂直方向の溝で形成すると共に、ダクト接手の上部に、排気口が形成された本体ケースの一側面の側壁上部を挟む、コ字状の挟み込み部を形成したことを特徴とする請求項２記載の換気扇。
【請求項４】
前記送風手段を、ファンケーシングに設けた吸込口が下方位置となるように取り付け、さらに、この吸込口が設けられたファンケーシングの底面を、ファンケーシングの排出口側に向けて下方に傾斜させると共に、ファンケーシングの吸込口周縁を上方に屈曲させたことを特徴とする請求項１乃至請求項３記載の換気扇。
【発明の詳細な説明】
【０００１】
【発明の属する技術分野】
本発明は、主に浴室の天井面や側面に取り付けられ、屋外と本体とをダクトによって連通し、室内の空気を換気する換気扇に関する。
【０００２】
【従来の技術】
この種の換気扇においては、本体ケースの下面開口部より室内の空気を吸い込み、本体ケース側面開口部から吐出させる送風手段を、本体ケース内に配設し、本体ケース側面開口部に連通するダクト接手を、係合手段により本体ケースに係合させたものがある。（例えば、特許文献１参照）
【０００３】
【特許文献１】
特開平８−３２０１４１号公報（第３頁、第１図）
【０００４】
【発明が解決しようとする課題】
しかしながら、送風手段を構成するファンケーシングの取付け方法に関しては、特許文献１には格別な記載はされていない。
一般に、ファンケーシングは螺子によって固定されるが、ファンケーシングの位置決めがされていない場合、ファンケーシングの位置決めに時間を要し、組立作業性が悪くなる虞がある。
【０００５】
また、ファンケーシング専用の位置決め手段を本体ケースに設けた場合、ファンケーシングの位置決め時間が短縮され、組立作業性は向上するが、本体ケースの構造が複雑になり、本体ケースを成形する金型構造が複雑化し、金型製作日数に時間を要したり、金型制作費用が上昇してしまう虞がある。
【０００６】
本発明はこのような課題を解決するためになされたものであり、構成を簡素化すると共に、組立作業性を向上させることができる換気扇を提供することを課題とする。
【０００７】
【課題を解決するための手段】
上記課題を解決するための手段は、本体ケースの下方に形成された吸気口と、本体ケースの一側面に形成された排気口と、本体ケース内に配設され、羽根車及びファンケーシングを備えた送風手段と、排気口に連通するように、本体ケースの前記一側面に固定されたダクト接手とを備え、前記本体ケースとダクト接手とを凹部と凸部との嵌合による係合手段により固定すると共に、ファンケーシングを前記係合手段により位置決めしたことを特徴とする。
【０００８】
上記課題を解決するための手段において、前記排気口を挟むように隣接する本体ケースの両側面の外壁に、内側に向かって窪む凹部を形成すると共に、凹部に嵌合する凸部をダクト接手に形成し、さらに、前記凹部を形成したことにより、凹部裏面の本体ケース内壁に形成される突出部を、ファンケーシングの位置決めとすることが好ましい。
【０００９】
上記課題を解決するための手段において、前記凹部を垂直方向の溝で形成すると共に、ダクト接手の上部に、排気口が形成された本体ケースの一側面の側壁上端部を挟む、コ字状の挟み込み部を形成することが好ましい。
【００１０】
上記課題を解決するための手段において、前記送風手段を、ファンケーシングに設けた吸込口が下方位置となるように取り付け、さらに、この吸込口が設けられたファンケーシングの底面を、ファンケーシングの排出口側に向けて下方に傾斜させると共に、ファンケーシングの吸込口周縁を上方に屈曲させることが好ましい。
【００１１】
【発明の実施の形態】
本発明の一実施の形態を図面に基づいて説明する。
【００１２】
本発明の換気扇は、天井１に取付けられる本体ケース２と、本体ケース２内に配設される送風手段３と、本体ケース２に形成された排気口５に連通するように、本体ケース２に固定されるダクト接手７とから構成されている。
【００１３】
本体ケース２は、板部材により構成され、上方と下方を開放した略正方形の形状をしている。本体ケース２内は、仕切壁８により上室９と下室１０との上下２室に仕切られている。本体ケース２の下方開放は、本体ケース２内に空気を取り込む吸気口４を構成する。また、下室１０の一側面には、本体ケース２内の空気を排気する排気口５を開口している。
吸気口４周縁には、本体ケース２を天井に取付けるための鍔部１３が形成されている。（図１参照）。
排気口５が形成された側面を挟む、本体ケース２の両側面の外壁には、内側に向かって窪む溝状の凹部１１が、本体ケース２の上端から本体ケース２の下方部まで、垂直方向に形成されている。このように、本体ケース２に凹部１１を形成したことにより、凹部１１裏面の本体ケース２の内壁には、内側に向かって突出する突出部１２が形成されている。
【００１４】
ダクト接手７は、一側面を排気口５に連結するように開放すると共に、他側面を図示しないダクトに連結するように開放している。
【００１５】
ダクト接手７の排気口５に連結される側面には、凹部１１が形成された本体ケース２の両側面の外壁を抱きかかえるように当接する一対の案内片１４が突出形成されている。また、図２及び図３に示すように、突出形成された案内片１４の先端には、本体ケース２の凹部１１に嵌まり込む凸部１５が部分的に形成されている。また、ダクト接手７の一側面の上部には、図１及び図４に示すように、排気口５上部の本体ケース２の側壁を構成する板部材の上端部を挟む、コ字状の挟み込み部１６が形成されている。ダクト接手７の排気口５に連結される側面の下部には、Ｌ字状の規制片１７が形成されている（図１、図４参照）。
【００１６】
送風手段３は、電動機１８、羽根車２０及びファンケーシング６により構成されている。電動機１８は、本体ケース２の仕切壁８に装着され、その回転軸１９を下室１０に突出させている。羽根車２０は、回転軸１９に装着され下室１０内に配置されている。
【００１７】
ファンケーシング６は、羽根車２０を内包して下室１０に配設され、底面に本体ケース２内の空気を吸い込む吸込口２１が形成され、側面には本体ケース２の排気口５に連結する排出口２２が形成されている。
そして、ファンケーシング６は、羽根車２０の駆動により、吸気口４を介して本体ケース２内に吸気された室内の空気を排気口５に案内するように構成されている（図１参照）。
【００１８】
ファンケーシング６の吸込口２１周縁は、上方に屈曲する屈曲部２１ａを有すると共に、ファンケーシング６の底面は、排出口２２側に向かって下方に傾斜している。
ファンケーシング６の排出口２２の一側から、Ｌ字状の位置決め部２３が延設されており、位置決め部２３が本体ケース２の突出部１２と本体ケース２の内壁間に嵌まり込むことにより、ファンケーシング５は本体ケース２に対して位置決めされ、この状態で螺子２４によりファンケーシング６を本体ケース２の仕切壁８にねじ止めすることによりファンケーシング６は容易に装着される（図２、図３参照）。
【００１９】
このように構成された換気扇においては、電動機１８を本体ケース２の仕切壁８に装着し、電動機８の回転軸１９に羽根車２０を装着する。次にファンケーシング６の位置決め部２３を、本体ケース２の突出部１２と本体ケース２の内壁との間に嵌まり込ませて、ファンケーシング６を本体ケース２に対して位置決めし、螺子２４によりファンケーシング６を本体ケース２に固定する。
【００２０】
次いで、ダクト接手７の案内片１４に形成された凸部１５を、本体ケース２の凹部１１に嵌合させながら、ダクト接手７を上方からスライドさせると、ダクト接手７上方の挟み込み部１６が、排気口５上部の本体ケース２の側壁を構成する板部材上端を挟み込む状態となり、ダクト接手７が本体ケース２に装着される。
【００２１】
上述のように、本体ケース２とダクト接手７とを一体化させた換気扇本体を天井１に取付ける。この時、ダクト接手７の規制片１７は天井１の下面に対面する。そして、ダクト接手７に図示しないダクトを接続する。これにより、換気扇の取付けが完了する。
本実施の形態においては、規制片１７が天井１に当接することにより、ダクト接手７の上方への移動が防止される。従って、ダクト接手７が本体ケース２に対して上方にスライドして外れることはない。
【００２２】
また、ファンケーシング６の位置決めは、本体ケース２とダクト接手７との係合手段である凹部１１を形成する反面作用として、その凹部１１の裏面に形成される突出部１２を利用しているため、特別な位置決め手段を設ける必要がなく、本体ケース２の構成を簡素化して本体ケース２を成形する金型構造を簡素化できると共に、金型製作費用の削減を図ることができる。
【００２３】
さらに、ダクト接手７を上方から下方にスライドさせて本体ケース２に装着するだけで、ダクト接手７の挟み込み部１６を、排気口５上部の本体ケース２の側壁を構成する板部材の上端に確実に挟み込ませることができ、取付作業性が向上すると共に、挟み込み部１６により、本体ケース２とダクト接手７との隙間から室内の湿気が天井裏に漏れることを防止することができる。
【００２４】
また、吸込口２１を備えたファンケーシング６の底面を、排出口２２側に向けて下方に傾斜させると共に、ファンケーシング６の吸込口２１周縁を上方に向けて屈曲させているため、ファンケーシング６内で結露した結露水を排出口２２に案内することができ、ファンケーシング６底面を流れる結露水が吸込口２１から室内に滴下することを防止することができる。
【００２５】
尚、本実施の形態においては、本体ケース２とダクト接手７との係合手段として本体ケース２に凹部１１を形成すると共に、凹部１１の裏面に形成される突出部１２をファンケーシング６の位置決め手段としたが、これに限定されるものではなく、例えば、本体ケース２にダクト接手７に係合する凸部を形成すると共に、凸部を形成することにより、凸部裏面に形成される凹部をファンケーシング２の位置決め手段とする等、その他の係合手段により本体ケース２とダクト接手７とを係合させると共に、その係合手段によりファンケーシング６を位置決めする構成にしてもよい。
【００２６】
【発明の効果】
本発明の請求項１の構成によれば、構成を簡素化することができると共に、組立作業性を向上させることができる等の効果を奏する。
【００２７】
本発明の請求項２の構成によれば、構成を簡素化することができると共に、組立作業性を向上させることができる等の効果を奏する。
【００２８】
本発明の請求項３の構成によれば、簡単な構成により組立作業性を向上させることができると共に、本体ケースとダクト接手との隙間から室内の湿気が天井裏に漏れることを防止することができる等の効果を奏する。
【００２９】
本発明の請求項４の構成によれば、ファンケーシング内で結露した結露水が室内に滴下することを防止することができる等の効果を奏する。
【図面の簡単な説明】
【図１】本発明の一実施形態の換気扇の側断面図である。
【図２】同換気扇の底面図で、一部を断面としてファンケーシングの位置決め状態を示す。
【図３】図２のファンケーシングの位置決め状態を示す一部断面部分の拡大図である。
【図４】同換気扇の本体ケースとダクト接手との係合する過程を示す側面図である。
【符号の説明】
２      本体ケース
３      送風手段
４            吸気口
５            排気口
６      ファンケーシング
７      ダクト接手
１１    凹部（係合手段）
１５    凸部（係合手段）
２０    羽根車
【図１】
2004340556.tif 000003
【図２】
2004340556.tif 000004
【図３】
2004340556.tif 000005
【図４】
2004340556.tif 000006